(57)【要約】【課題】使用する材質に制限がなく且つ簡単に二つあるいはそれ以上の材質又は色等の異なる部材を使用でき、後処理も簡単で、且つ後加工によって複雑な構成を具備させることができるようなアクセサリを提供することを目的とする。【解決手段】材質あるいは色の異なる材料からなる少なくとも２つの部材１，２を、少なくとも所定長さだけ両者を密着させて接合したアクセサリであって、前記密着させて接合している面１ｆ，２ｆを、その延長線上から見た接合線３が、凹凸状になっている。【選択図】                図１
2004357922.tif 000002
【特許請求の範囲】
【請求項１】
材質あるいは色の異なる材料からなる少なくとも２つの部材を、少なくとも所定長さだけ両者を密着させて接合したアクセサリであって、
前記密着させて接合している面を、その延長線上から見た接合線が、凹凸状になっていることを特徴とするアクセサリ。
【請求項２】
前記凹凸状が、入口部位が狭く奥方部位で広がったようなアリ溝状の凹凸状であることを特徴とする請求項１記載のアクセサリ。
【請求項３】
前記接合させようとする少なくとも２つの部材が、共にリング状のものであって、前記接合線がリング状になっていることを特徴とする請求項１又は２記載のアクセサリ。
【請求項４】
材質あるいは色の異なる材料からなる少なくとも２つの部材を、少なくとも所定長さだけ両者を密着させて接合するが、この密着させて接合している面を、その延長線上方から見た接合線が、凹凸状になっているアクセサリの製造方法であって、
前記接合しようとする２つの部材の接合線を、隙間を僅かにマイナスにした状態で切断し、
前記切断した二つの材料を、互いの接合面が一つの面になるよう、該２つの部材の接合面がその接合線でラップするような状態で接合方向に直交する方向に位置を違えて配置し、この状態で、該接合方向に直交する方向から２つの部材に外圧を加えて、該２つの部材を接合させたことを特徴とするアクセサリの製造方法。
【請求項５】
前記切断作業を、前記接合しようとする２つの部材の接合線をＣＡＭにデータとして入力するとともに、このＣＡＭを利用して、前記２つの部材を共に、該接合線が残るような状態でおこなったことを特徴とする請求項４記載のアクセサリの製造方法。
【請求項６】
前記ＣＡＭが、与えられた加工データによって自動的に加工できるように構成されたワイヤカッタあるいはレーザー切断装置若しくはウォータージェット切断装置であることを特徴とする請求項５記載のアクセサリの製造方法。
【発明の詳細な説明】
【０００１】
【発明の属する技術分野】
本発明は、２以上の材質あるいは色の異なる部材を接合させることによって構成されるアクセサリ（例えば、指輪、ペンダント、イヤリング、ブレスレット等）に関する。
【０００２】
【従来の技術及び発明が解決しようとする課題】
従来より、指輪、ペンダント、イヤリング、ブレスレット、ブローチ等の装飾品は、種々のものが提供されている。
そして、これら装飾品を製作するアクセサリ装飾者は、従来にない且つ異なる趣をもったアクセサリを提供しようと、たゆまない努力をしている。
つまり、装飾品としての価値は、従来からあるものに比べて、どれほどの斬新性を具備しているか、換言すると装着する者が周囲から注目されるかによって決定される面がある。例えば、このような斬新性として、細工面での斬新性、あるいは使用する材料の選択による斬新性、装飾品それ自体の形態の斬新性、あるいは使用する態様における斬新性等がある。
例えば、古来より、金の金色の輝きと、プラチナの銀色の輝きとのコンビネーションが醸しだす、豪華な趣を生じさせることを目的として、金にプラチナの縁取りをしたような或いは逆の構成の、またはいずれか一方を他方に埋め込んだような、アクセサリが提供されている。
【０００３】
ところで、このように異種の材質の部材を接合したような状態で用いるには、両者の間をロウ付け等して接合するとともに、接合部において一方の部材を打設することによって他方の部材の上にぴったり接合したようにする手法がある（特許文献１参照）。
【０００４】
しかし、かかる場合、使用される「異なる部材」の材質の選択に制限が生じる。例えば、ロウ付けできない材質からなる部材同士の接合はできない。あるいは、一方の部材が熱に弱いような材質のものは使用することができない。
また、ロウ付けの前処理およびロウ付け、さらには後処理等に多大な手間がかかるという不都合がある。従って、このような加工を施したアクセサリは当然のことながら、高価なものになってしまう。
【０００５】
また、別の手法として、異なる材質の部材を接合する際に、接着剤等を使用することもおこなわれる（特許文献２）が、かかる場合には、長期間の使用によって接着効果が低減し、高価なアクセサリを紛失する可能性が高い点で、高価なものについては使用することができない。
【０００６】
【特許文献１】特開２００３−４７５１２号公報。
【特許文献２】特開２００２−３００９０９号公報。
【０００７】
本発明はこのような状況のもとにおこなわれたもので、使用する材質に制限がなく且つ簡単に二つあるいはそれ以上の材質又は色等の異なる部材を使用でき、後処理も簡単で、且つ後加工によって複雑な構成を具備させることができるようなアクセサリを提供することを目的とする。
【０００８】
【課題を解決するための手段】
本第１の発明にかかるアクセサリは、材質あるいは色の異なる材料からなる少なくとも２つの部材を、少なくとも所定長さだけ両者を密着させて接合したアクセサリであって、
前記密着させて接合している面を、その延長線上から見た接合線が、凹凸状になっていることを特徴とする。
【０００９】
このように構成されたアクセサリによれば、密着させることによって、両者の部材間に大気圧に起因する接合力が生じ、かかる場合に接合部分の大気を排除してこの接合作用を強化させるために、両者の接合部分に接着剤等を接合助剤として塗布しておけばさらに有効となる。かかる場合には、ロウ付けのように、接合しようとする各部材の材質に制限を受けることがなく、また、これらの部材に熱が作用することがないため、あらゆる材質のものがアクセサリの素材として使用できる。さらに、前記接着助剤が経年変化によって劣化したとしても、接合力が大気圧によって生じているため、それによって接合部分が分離することはない。
【００１０】
また、前記アクセサリにおいて、前記凹凸状が、入口部位が狭く奥方部位で広がったようなアリ溝状の凹凸状であると、接合力を生じさせる前記作用効果に加えて、アリ溝状の係合作用が加わって、その係合作用が作用している方向にさらに別の力でも接合されることになるため、さらに大きな接合力を具備した好ましいアクセサリとなる。
【００１１】
また、前記アクセサリにおいて、前記接合させようとする少なくとも２つの部材が、共にリング状のものであって、前記接合線がリング状になっていると、リング状の形状に起因して、接合しようとする両者に嵌合（はめあい）による応力がさらに加わり、より大きな接合力を具備した好ましいアクセサリとなる。
【００１２】
本第２の発明にかかるアクセサリの製造方法は、材質あるいは色の異なる材料からなる少なくとも２つの部材を、少なくとも所定長さだけ両者を密着させて接合するが、この密着させて接合している面を、その延長線上方から見た接合線が、凹凸状になっているアクセサリの製造方法であって、
前記接合しようとする２つの部材の接合線を、隙間を僅かにマイナスにした状態（隙間のない、つまり接合しようとする部分が逆にオーバーラップした状態）で切断し、
前記切断した二つの材料を、互いの接合面が一つの面になるよう、該２つの部材の接合面がその接合線でラップするような状態で接合方向に直交する方向に位置を違えて配置し、この状態で、該接合方向に直交する方向から２つの部材に外圧を加えて、該２つの部材を接合させたことを特徴とする。
【００１３】
このような方法によると、前記第１の発明にかかるアクセサリを実現することができる。
【００１４】
また、前記アクセサリの製造方法において、前記切断作業を、前記接合しようとする２つの部材の接合線をＣＡＭにデータとして入力するとともに、このＣＡＭを利用して、前記２つの部材を共に、該接合線が残る（あるいは僅かに残る）ような状態でおこなうと、効果的な実施形態となる。
【００１５】
また、前記アクセサリの製造方法において、前記ＣＡＭが、与えられた加工データによって自動的に加工できるように構成されたワイヤカッタあるいはレーザー切断装置若しくはウォータージェット切断装置であると好ましい実施形態となる。具体的には、導電性の材料の場合にはワイヤカッタあるいはレーザー切断装置、ウォータージェット切断装置で切断し、その他の材料の場合にはレーザー切断装置、ウォータージェット切断装置で切断することが好ましい。
【００１６】
【発明の実施の形態】
以下、図面を参照しながら、本発明にかかるアクセサリと該アクセサリの製造方法について、具体的に説明する。
【００１７】
図１（ａ）はアクセサリの一種であるペンダントの全体の形状を示す正面図、図１（ｂ）は図１（ａ）に示すペンダントの斜視図である。図１（ａ），（ｂ）に図示するように、このペンダントＰの場合、材質として銀と木（紫檀）を用いている。具体的には、銀からなる部材１と木からなる部材２の２つの部材は、共にリング状に構成されており、ペンダントＰの、外周方の部材１の材料として銀を用い、内周方の部材２の材料として木を用いている。
そして、図１（ａ）に図示するように、リング状の銀からなる部材１とリング状の木からなる部材２とは、該部材１の内周面１ａと部材２の外周面２ａが接合しており、該接合している面を延長線上（図１（ａ）の紙面手前側）から見た接合線３は、凹凸状になっている。具体的には、この凹凸状は、この実施形態では、図１（ａ）に図示するように波形になっているが、この凹凸状の形状としては、種々のものが考えられる。例えば、図２（ａ），（ｂ）に図示するように、丸のこ歯状にすることもできるし、その他、全体（基線）が円形になったサインカーブ状の凹凸状であってもよいし、あるいは不整形（不揃い）な凹凸状であってもよい。なお、この図２（ａ），（ｂ）に図示されるアクセサリは、指輪Ｒとして実施したものである。
これらのペンダントＰあるいは指輪Ｒとして、使用する材料は、外周方の部材として木（紫檀）を、内周方の部材として銀を用いてもよいことはを言うまでもない。あるいは、各部材にその他の種々の材質のものを用いることができる。
【００１８】
また、他の実施形態としては、アクセサリの一種の指輪としても使用できるペンダントＰを示す、図３（ａ），（ｂ）、図４（ａ），（ｂ）に図示するように、材質としてプラチナとアクリル樹脂を用いている。具体的には、プラチナからなる部材１０とアクリル樹脂からなる部材２０の２つの部材は、共にリング状に構成されており、外周方の部材２０にアクリル樹脂２０を用い、内周方の部材１０にプラチナ１０を用いている。
そして、図３（ａ）あるいは図４（ａ）に図示するように、リング状のアクリル樹脂からなる部材２０とリング状のプラチナからなる部材１０とは、該部材２０の内周面２０ａと部材１０の外周面１０ａが接合しており、該接合している面を延長線上（図３（ａ），図４（ａ）の紙面手前側）から見た接合線３は、凹凸状になっている。
このように、各部材の材料としては、自在に選択することができ、またいずれの材料を外周方の部材にあるいは内周方の部材に用いるかは、自在に選択することができる。
【００１９】
別の実施形態としては、図５（ａ），（ｂ）に図示するように、全体の形状が略直方体のアクセサリ（ペンダントＰ）とすることもできる。
この実施形態の場合、二つの材料、具体的には、一方にステンレスからなる部材３０を、他方に琥珀からなる部材４０を用いている。
そして、図５（ａ）に図示するように、前記ステンレスからなる部材３０と琥珀からなる部材４０との密着している接合している面は、その延長線上（図５（ａ）の紙面手前側）から見ると接合線３として表れるが、その形状は凹凸状になっている。
この実施形態の場合には、前記凹凸状は、直方体の長手方向に離間した二箇所において、入口部位６Ａが狭く奥方部位６Ｂで広がったアリ溝状の凹凸状になっている。また、このアクセサリであるペンダントＰでは、前記琥珀からなる部材４０側に上面から底面にかけて貫通した鎖挿通穴７が形成され、この鎖挿通穴７に首からぶら下げるためのチェーンを挿通できるよう構成されている。
【００２０】
また、材質的には、前記各実施形態で種々の材料を例示したが、これらの材料に限定されるものでなく、種々の金属は勿論のこと、種々の木、樹脂、あるいは石を用いることができ、さらには、「さんご」，「琥珀」等種々のものを使用することができる。
【００２１】
そして、前記アクセサリは、以下のように製造することができる。以下、図１（ａ），（ｂ）に図示するリング状のペンダントＰを製造する場合を例に挙げて説明する。
【００２２】
図６（ａ），（ｂ）に図示するように、ＣＡＤ（コンピュータを利用した製図装置：図示せず）を用いて、ＣＡＤ上に加工データとして得られるように、リング状のペンダントＰの銀で構成される部材１と木で構成される部材２の、各図面を描く。
そして、このＣＡＤで製図して得た加工データを、ＣＡＭ（コンピュータを利用した加工装置：図示せず）に与える。この実施形態では、ＣＡＭとして、前記銀からなる部材１についてワイヤカッタ（加工装置の一種）を、木からなる部材２についてはレーザ切断装置（加工装置の一種）を用いている。前記ワイヤカッタは導電性の材料（金属等）にしか使用できないためである。
そして、これらのＣＡＭを用いた切断に際して、前記接合線３の部分については、接合線３を各部材１，２が共に残す（あるいは僅かに残す）ように、つまり、接合する際に両方の部材１，２の隙間が僅かにマイナスになるような寸法でもって切断する。このような切断線３部分の切断の詳細な指示は、加工前にＣＡＭに与えておく。前記接合線３を残す（あるいは僅かに残す）寸法としては、使用する材料によって異なるが、概ね切断面の面粗さに相当する程度とするのが好ましく、この実施形態の場合には、例えば  ３／１０００程度〜１５／１０００程度である。
このようなデータと指示に基づいて、ＣＡＭは所望の状態に銀からなる部材１と木からなる部材２をそれぞれ切断加工する。この切断加工された接合しようとする接合面を、接合直前の状態で拡大して表すと、図７に図示するようになる。つまり、銀からなる部材１と木からなる部材２の接合しようとする互いの接合面（図１では内周面１ａに相当）１ｆ，接合面（図１では外周面２ａに相当）２ｆが上下に略一つの面になるよう、該二つの接合面１ｆ，２ｆが接合線３でラップするような状態で、接合方向に直交する方向（図７の矢印Ｘ参照）に、該銀からなる部材１と木からなる部材２の切断したものを位置を違えて配置する。
そして、このような配置した状態で、銀からなる部材１と木からなる部材２とを各接合面１ｆ，２ｆが密着するように前記直交する方向（図７の矢印Ｘ参照）に押圧する。この押圧は、万力（バイス）のような機械的な倍力機構を用いておこなってもよいし、空圧式あるいは油圧式の倍力機構を用いておこなってもよい。このように、倍力によって押圧すると、銀からなる部材１と木からなる部材２との間の接合面１ｆ，２ｆで、互いに押圧する方向（図７の矢印Ｙの方向参照）に内部応力が作用した嵌合状態となり、両者緊密に且つ強固に固定される。
そして、前記接合に際して、少なくとも一方の接合面１ｆ（あるいは２ｆ）に接着剤（あるいは潤滑のための油）等を塗布しておくことが、密着させて強固な接合を得る上で望ましい。
このように、銀からなる部材１と木からなる部材２とを接合させると、両者の接合面１ｆ，２ｆ相互が嵌合によって密接し、銀からなる部材１と木からなる部材２の部分が、図１（ａ），（ｂ）に図示するように一体になったアクセサリ（ペンダントＰ）の元ができ上がり、これらを研磨等施せば最終的なアクセサリ（ペンダントＰ）が出来上がる（図１（ａ），（ｂ）参照）。
【００２３】
さらに、前記アクセサリ（ペンダントＰ）の元を、さらに表面等に相手側まで達するような彫刻を加える等すると、該彫刻した箇所から相手側の素材が表れて、趣の異なるペンダントＰとすることも可能である。
【００２４】
前記実施形態では、２つの部材を用いたアクセサリについて説明したが、それ以上の数の部材を用いた場合にも、本発明が適用できることは言うまでもない。
【００２５】
【発明の効果】
しかして、本発明にかかるアクセサリによると、各部材として使用する材質に制限がなくあらゆる材料が使用できるため、非常に創作性の広い且つ創作性の高いアクセサリを作りだすことができる。しかも、このアクセサリは、簡単に且つ安価に提供できるアクセサリとなる。
【００２６】
また、本発明にかかるアクセサリの製造方法によると、前記アクセサリを簡単に且つ容易に製造することが可能となる。
【図面の簡単な説明】
【図１】本発明の実施形態にかかるアクセサリであるペンダントを示す図で、（ａ）は正面図、（ｂ）は斜視図である。
【図２】別の実施形態にかかるアクセサリ（指輪）を示す図で、（ａ）は正面図、（ｂ）は斜視図である。
【図３】別の実施形態にかかるアクセサリ（ペンダントとしても指輪としても利用できるもの）を示す図で、（ａ）は正面図、（ｂ）は斜視図である。
【図４】別の実施形態にかかるアクセサリ（ペンダントとしても指輪としても利用できるもの）を示す図で、（ａ）は正面図、（ｂ）は斜視図である。
【図５】別の実施形態にかかるアクセサリ（ペンダント）を示す図で、（ａ）は正面図、（ｂ）は斜視図である。
【図６】図１に示すペンダントの各材料毎の正面図を示す図で、（ａ）は銀の材料の正面形状を示す図、（ｂ）は木の材料の正面形状を示す図である。
【図７】図１に示すペンダントの二つの材料を押圧する際の状態を示す部分拡大斜視図ある。
【符号の説明】
１…銀からなる部材（部材）
１ｆ…銀からなる部材の接合面
２…木からなる部材（部材）
２ｆ…木からなる部材の接合面
３…接合線
【図１】
2004357922.tif 000003
【図２】
2004357922.tif 000004
【図３】
2004357922.tif 000005
【図４】
2004357922.tif 000006
【図５】
2004357922.tif 000007
【図６】
2004357922.tif 000008
【図７】
2004357922.tif 000009